(57)【特許請求の範囲】
【請求項１】
ビデオ信号を伝送するケーブルが接続されるコネクタと、
上記コネクタに外部機器から上記ケーブルを介して入力されるビデオ信号による画像を表示する表示パネルと、
上記コネクタを表すコネクタ表示を上記表示パネルに表示する表示制御部とを備える画像表示装置であって、
上記コネクタは、上記外部機器から、複数チャネルで、差動信号により、上記ケーブルを介して送られてくるベースバンドのビデオ信号を入力するためのコネクタであり、上記ケーブルの接続の有無を検出するケーブル検出機構を有し、
上記コネクタに接続されたケーブルの所定ラインの電位状態に基づいて、上記ケーブルを介してアクティブ状態にある外部機器が接続されているか否かを判定するアクティブ判定部をさらに備え、
上記ケーブル検出機構は、上記コネクタの外殻に電気的に浮いた状態で取り付けられた接触片により構成され、上記コネクタに上記ケーブルが接続されるとき、上記コネクタの外殻に嵌合される上記ケーブルの端部に設けられたプラグを介して、上記コネクタの外殻と上記接触片とが電気的に接続され、
上記表示制御部は、上記ケーブル検出機構の検出結果と共に、上記アクティブ判定部の判定結果に応じて、上記表示パネルに表示されるコネクタ表示の態様を変化させる
ことを特徴とする画像表示装置。
【請求項２】
上記表示制御部は、
上記表示パネルに表示される、ケーブルが接続されているコネクタを表すコネクタ表示に関連して、さらに、当該コネクタに接続されている機器を表す機器表示を上記表示パネルに表示する
ことを特徴とする請求項１に記載の画像表示装置。
【請求項３】
上記表示パネルに表示されたコネクタ表示を選択して入力切り替えを行うユーザ操作部と、
上記ユーザ操作部により選択し得るコネクタ表示を、上記ケーブル検出機構の検出結果に応じて、上記ケーブルが接続されているコネクタを表すコネクタ表示に制限する選択制限部とをさらに備える
ことを特徴とする請求項１に記載の画像表示装置。
【請求項４】
上記表示制御部は、上記ユーザ操作部により選択し得るコネクタ表示を所定範囲にまとめて表示する
ことを特徴とする請求項３に記載の画像表示装置。
【請求項５】
上記表示制御部は、上記ケーブルが接続されていないコネクタを表すコネクタ表示を、上記表示パネルに表示しない
ことを特徴とする請求項３に記載の画像表示装置。
【請求項６】
ビデオ信号を伝送するケーブルが接続されるコネクタと、
上記コネクタに外部機器から上記ケーブルを介して入力されるビデオ信号による画像を表示する表示パネルとを備え、
上記コネクタは、上記外部機器から、複数チャネルで、差動信号により、上記ケーブルを介して送られてくるベースバンドのビデオ信号を入力するためのコネクタであり、上記ケーブルの接続の有無を検出するケーブル検出機構を有し、
上記ケーブル検出機構は、上記コネクタの外殻に電気的に浮いた状態で取り付けられた接触片により構成され、上記コネクタに上記ケーブルが接続されるとき、上記コネクタの外殻に嵌合される上記ケーブルの端部に設けられたプラグを介して、上記コネクタの外殻と上記接触片とが電気的に接続され、
上記コネクタに接続されたケーブルの所定ラインの電位状態に基づいて、上記ケーブルを介してアクティブ状態にある外部機器が接続されているか否かを判定するアクティブ判定部をさらに備える画像表示装置におけるコネクタ表示方法であって、
上記コネクタを表すコネクタ表示を上記表示パネルに表示するコネクタ表示ステップと、
上記ケーブル検出機構の検出結果と共に、上記アクティブ判定部の判定結果に応じて、上記表示パネルに表示されるコネクタ表示の態様を変化させる表示態様変化ステップと
を有することを特徴とするコネクタ表示方法。
【発明の詳細な説明】
【技術分野】
【０００１】
この発明は、画像表示装置およびコネクタ表示方法に関する。
【背景技術】
【０００３】
近年、例えば、ＤＶＤ(Digital Versatile Disc)レコーダや、セットトップボックス、その他のＡＶソース（Audio Visual source）から、テレビ受信機、プロジェクタ、その他のディスプレイに対して、デジタル映像信号、すなわち、ベースバンド（非圧縮）の映像信号（ビデオ信号）と、その映像信号に付随する音声信号（オーディオ信号）とを、高速に伝送する通信インタフェースとして、ＨＤＭＩ(High Definition Multimedia Interface)が普及しつつある。例えば、特許文献１には、ＨＤＭＩ規格の詳細についての記載がある。
【特許文献１】ＷＯ２００２／０７８３３６号公報
【発明の開示】
【発明が解決しようとする課題】
【０００４】
例えば、ＨＤＭＩコネクタ（ＨＤＭＩ端子）が配設されているテレビ受信機にあって、ＨＤＭＩコネクタはケーブル検出機能を持っていない。そのため、ユーザは、表示パネルでＨＤＭＩコネクタへのケーブル接続の有無を確認できず、例えば表示パネルにＨＤＭＩコネクタを含めた各コネクタを表示して入力切り替えを行う際に、ユーザは、ケーブルが接続されていないＨＤＭＩコネクタを選択する等の無駄な操作を行うことがあった。
【０００５】
ＨＤＭＩで規定されているＨＰＤ（Hot Plug Detect）により、テレビ受信機では、ＨＤＭＩコネクタにケーブルを介してアクティブな状態にあるソース機器が接続されていることの検出は可能である。なお、ソース機器がアクティブな状態にないときは、ケーブルが接続されていない場合と同じ状態となるため、ケーブル接続の有無さえも検出できなくなる。
【０００６】
この発明の目的は、コネクタへのケーブル接続の有無を画面上で容易に確認可能とすることにある。また、この発明の目的は、コネクタへのアクティブ機器の接続の有無を画面上で容易に確認可能とすることにある。
【課題を解決するための手段】
【０００７】
この発明の概念は、
ビデオ信号を伝送するケーブルが接続されるコネクタと、
上記コネクタに外部機器から上記ケーブルを介して入力されるビデオ信号による画像を表示する表示パネルと、
上記コネクタを表すコネクタ表示を上記表示パネルに表示する表示制御部とを備える画像表示装置であって、
上記コネクタは、上記外部機器から、複数チャネルで、差動信号により、上記ケーブルを介して送られてくるベースバンドのビデオ信号を入力するためのコネクタであり、上記ケーブルの接続の有無を検出するケーブル検出機構を有し、
上記コネクタに接続されたケーブルの所定ラインの電位状態に基づいて、上記ケーブルを介してアクティブ状態にある外部機器が接続されているか否かを判定するアクティブ判定部をさらに備え、
上記ケーブル検出機構は、上記コネクタの外殻に電気的に浮いた状態で取り付けられた接触片により構成され、上記コネクタに上記ケーブルが接続されるとき、上記コネクタの外殻に嵌合される上記ケーブルの端部に設けられたプラグを介して、上記コネクタの外殻と上記接触片とが電気的に接続され、
上記表示制御部は、上記ケーブル検出機構の検出結果と共に、上記アクティブ判定部の判定結果に応じて、上記表示パネルに表示されるコネクタ表示の態様を変化させる
ことを特徴とする画像表示装置にある。
【０００８】
この発明においては、ビデオ信号を伝送するケーブルが接続されるコネクタを備えており、このコネクタに外部機器からケーブルを介して入力されるビデオ信号による画像が表示パネルに表示される。また、この表示パネルには、例えば、入力切り替えを行う際のユーザインタフェース画面に、コネクタを表すコネクタ表示（マーク、文字等）が表示される。コネクタは、例えば、ＨＤＭＩコネクタのように、外部機器から、複数チャネルで、差動信号により、ケーブルを介して送られてくるベースバンドのビデオ信号を入力するためのコネクタである。
【０００９】
コネクタは、ケーブルの接続の有無を検出するケーブル検出機構を有するものとされる。このケーブル検出機構は、例えば、コネクタの外殻に電気的に浮いた状態で取り付けられた接触片により構成され、コネクタにケーブルが接続されるとき、コネクタの外殻に嵌合されるケーブルの端部に設けられたプラグを介して、コネクタの外殻と接触片とが電気的に接続される、構成とされる。このような構成とすることで、例えば、コネクタの外殻が接地されている場合、コネクタにケーブルが接続された状態では、接触片も接地された状態となり、ケーブルの接続の有無を容易に検出できる。
【００１０】
表示制御部により、ケーブル検出機構の検出結果に応じて、表示パネルに表示されるコネクタ表示の態様、例えば濃度、色相、形状等が変化するようにされる。例えば、ケーブルが接続されているコネクタを表すコネクタ表示に比べて、ケーブルが接続されていないコネクタを表すコネクタ表示は薄く表示される。このように、ケーブルが接続されているか否かにより表示パネルに表示されるコネクタ表示の態様が変化するようにされるため、コネクタへのケーブル接続の有無を画面上で容易に確認でき、外部入力の選択操作性が改善される。
【００１１】
この発明において、例えば、表示制御部は、表示パネルに表示される、ケーブルが接続されているコネクタを表すコネクタ表示に関連して、さらに、当該コネクタに接続されている機器を表す機器表示を表示パネルに表示する、ようにされてもよい。この場合、ユーザは、コネクタに接続されている機器を表示パネルの画面上で容易に確認でき、外部入力の選択操作性が改善される。
【００１２】
また、この発明において、例えば、表示パネルに表示されたコネクタ表示を選択して入力切り替えを行うユーザ操作部と、このユーザ操作部により選択し得るコネクタ表示を、ケーブル検出機構の検出結果に応じて、ケーブルが接続されているコネクタを表すコネクタ表示に制限する選択制限部とをさらに備える、ようにされてもよい。この場合、例えば、選択用のカーソルはケーブルが接続されているコネクタを表すコネクタ表示だけに選択的に移動するため、ユーザのカーソルの移動操作から無駄を省くことができ、また、ケーブルが接続されていないコネクタを表すコネクタ表示をユーザが誤って選択するということもなくなる。
【００１３】
なおこの場合、表示制御部は、ユーザ操作部により選択し得るコネクタ表示を所定範囲にまとめて表示する、ようにされてもよい。これにより、選択用のカーソルが不規則な間隔で移動することによる見難さを回避できる。またこの場合、表示制御部は、ケーブルが接続されていないコネクタを表すコネクタ表示を、表示パネルに表示しない、ようにされてもよい。これにより、不要なコネクタ表示を表示パネルから除くことができ、選択し得るコネクタを表すコネクタ表示を見易くできる。
【００１４】
また、この発明において、コネクタに接続されたケーブルの所定ラインの電位状態に基づいて、ケーブルを介してアクティブ状態にある外部機器が接続されているか否かを判定するアクティブ判定部をさらに備え、表示制御部は、ケーブル検出機構の検出結果と共に、アクティブ判定部の判定結果に応じて、表示パネルに表示されるコネクタ表示の態様を変化させる、ようにされてもよい。この場合、コネクタへのケーブル接続の有無だけでなく、ケーブルが接続されているコネクタへのアクティブな外部機器の接続の有無までも、画面上で容易に確認できる。
【発明の効果】
【００２５】
この発明によれば、コネクタへのケーブル接続の有無を検出するケーブル検出機構の検出結果に応じて、表示パネルに表示されるコネクタ表示の態様を変化させるものであり、コネクタへのケーブル接続の有無を画面上で容易に確認できる。また、この発明によれば、コネクタに接続されたケーブルの所定ラインの電位状態に応じて、表示パネルに表示されるコネクタ表示の態様を変化させるものであり、コネクタへのアクティブ機器の接続の有無を画面上で容易に確認できる。また、この発明によれば、ケーブルの接続の有無を検出するケーブル検出機構を備えるものであり、ケーブルの接続の有無を容易に検出できる。
【発明を実施するための最良の形態】
【００２６】
以下、図面を参照しながら、この発明の実施の形態について説明する。図１は、実施の形態としてのテレビ受信機１００の構成例を示している。なお、説明を簡単にするため、以下の説明ではオーディオ系の説明については省略する。
【００２７】
このテレビ受信機１００は、ＨＤＭＩコネクタ１０１ａ〜１０１ｃと、コンポーネントビデオコネクタ１０２ａ〜１０２ｃと、コンポジットビデオコネクタ１０３ａ〜１０３ｃと、ＰＣ（Personal Computer）コネクタ１０４と、制御部１０５と、ユーザ操作部１０６と、ＨＤＭＩスイッチャ（ＨＤＭＩ ＳＷ）１０７と、ＨＤＭＩ受信部（ＨＤＭＩＲＸ）１０８と、ビデオスイッチャ（ビデオＳＷ）１０９と、アンテナ端子１１０と、チューナ１１１と、ビデオ信号処理部１１２と、表示パネル１１３とを有している。このテレビ受信機１００は、ＨＤＭＩのシンク機器を構成している。
【００２８】
制御部１０５は、テレビ受信機１００の各部の動作を制御する。ユーザ操作部１０６は、ユーザインタフェースを構成し、制御部１０５に接続されている。ユーザ操作部１０６は、テレビ受信機１００の図示しない筐体に配置されたキー、釦、ダイアル、あるいはリモコンの送受信機等で構成されている。
【００２９】
制御部１０５は、ＤＲＡＭ１０５ａを有している。このＤＲＡＭ１０５ａには、ＨＤＭＩコネクタ１０１ａ〜１０１ｃ、コンポーネントビデオコネクタ１０２ａ〜１０２ｃ、コンポジットビデオコネクタ１０３ａ〜１０３ｃ、およびＰＣコネクタ１０４へのケーブル接続情報、ＨＤＭＩコネクタ１０１ａ〜１０１ｃへのアクティブ状態の外部機器の接続情報等が記憶される。
【００３０】
ここで、ＨＤＭＩコネクタ１０１ａ〜１０１ｃ、コンポーネントビデオコネクタ１０２ａ〜１０２ｃ、コンポジットビデオコネクタ１０３ａ〜１０３ｃ、およびＰＣコネクタ１０４へのケーブル接続情報は、各コネクタが備えているケーブル検出機構（図１には図示せず）により得られる。このケーブル検出機構は、例えば、コネクタへのケーブルの接続を機械的なスイッチにより検出する構成とされている。ＨＤＭＩコネクタ１０１ａ〜１０１ｃにおけるケーブル検出機構については後述する。
【００３１】
また、ＨＤＭＩコネクタ１０１ａ〜１０１ｃへのアクティブ状態の外部機器（ソース機器）の接続情報は、１９ピン、つまりＨＰＤ（Hot Plug Detect）ピンの電位状態から得られる。すなわち、アクティブ状態の外部機器が接続される場合ＨＰＤピンの電圧が高くなることから、制御部１０５は、ＨＰＤピンの電圧を監視することで、当該接続情報を得ることができる。この意味で、制御部１０５は、アクティブ判定部を構成している。
【００３２】
制御部１０５は、例えば、ユーザによる外部入力の選択時に、上述したケーブル接続情報、アクティブ状態の外部機器の接続情報に基づいて、表示パネル１１３に表示されるコネクタ表示の態様を変化させる。この意味で、制御部１０５は表示制御部を構成している。制御部１０５における表示制御の詳細については後述する。
【００３３】
ＨＤＭＩスイッチャ１０７は、制御部１０５の制御のもと、ＨＤＭＩコネクタ１０１ａ〜１０１ｃをＨＤＭＩ受信部１０８に選択的に接続する。ＨＤＭＩ受信部１０８は、ＨＤＭＩスイッチャ１０７を介して、ＨＤＭＩコネクタ１０１ａ〜１０１ｃのいずれかに選択的に接続されている。このＨＤＭＩ受信部１０８は、ＨＤＭＩに準拠した通信により、ＨＤＭＩコネクタ１０１ａ〜１０１ｃに接続されている外部機器（ソース機器）から一方向に送信されてくるベースバンドのビデオ信号（映像信号）を受信する。
【００３４】
この場合、ＨＤＭＩ受信部１０８は、外部機器との間で互いにＨＤＣＰ（High-bandwidth Digital Content Protection system）の認証を行った後に、上述したように当該外部機器からベースバンドのビデオ信号（映像信号）を受信する。このＨＤＭＩ受信部１０８の詳細は後述する。
【００３５】
ビデオスイッチャ１０９は、コンポーネントビデオコネクタ１０２ａ〜１０２ｃ、コンポジットビデオコネクタ１０３ａ〜１０３ｃ、およびＰＣコネクタ１０４に入力されるビデオ信号から、選択的に、１系統のビデオ信号を取り出して出力する。チューナ１１１は、ＢＳ（Broadcasting Satellite）放送、地上波デジタル放送等を受信し、選局された所定番組のビデオ信号を出力する。このチューナ１１１には、アンテナ端子１１０に接続された図示しないアンテナで捕らえられた放送信号が供給される。
【００３６】
ビデオ信号処理部１１２は、ＨＤＭＩ受信部１０８から出力されるビデオ信号、ビデオスイッチャ１０９から出力されるビデオ信号、チューナ１１１から出力されるビデオ信号のうち、ユーザの選択操作に基づいて選択された画像表示用の映像信号に対して、必要に応じてマルチ画面処理、ユーザインタフェース画面用の情報表示信号の重畳処理等を行う。このユーザインタフェース画面用の情報表示信号は、制御部１０５の制御のもと、ビデオ信号処理部１１２が備えるＯＳＤ（On Screen Display）回路１１２ａにより発生される。また、このビデオ信号処理部１１２は、処理後の映像信号に基づいて、表示パネル１１３を駆動する。表示パネル１１３は、例えば、ＬＣＤ（Liquid Crystal Display）、ＰＤＰ（Plasma Display Panel）等で構成されている。
【００３７】
図１に示すテレビ受信機１００の動作を説明する。
【００３８】
ＨＤＭＩ受信部１０８には、ＨＤＭＩスイッチャ１０７で選択されたＨＤＭＩコネクタに接続されている、アクティブ状態にある外部機器（ソース機器）から、ベースバンドのビデオ信号が暗号化等の処理が施されて送信されてくる。ＨＤＭＩ受信部１０８では受信されたビデオ信号に対して暗号の復号化等の処理が行われて、ビデオ信号が得られる。このＨＤＭＩ受信部１０８から出力されるビデオ信号はビデオ信号処理部１１２に供給される。
【００３９】
また、コンポーネントビデオコネクタ１０２ａ〜１０２ｃ、コンポジットビデオコネクタ１０３ａ〜１０３ｃ、およびＰＣコネクタ１０４に入力されるビデオ信号はビデオスイッチャ１０９に供給され、このビデオスイッチャ１０９では１系統のビデオ信号が選択されて出力される。ビデオスイッチャ１０９から出力されるビデオ信号はビデオ信号処理部１１２に供給される。
【００４０】
また、アンテナ端子１１０に入力された放送信号はチューナ１１１に供給される。チューナ１１１では、放送信号に基づいて、ユーザの選局操作に対応して、所定の番組のビデオ信号が得られる。チューナ１１１から出力されるビデオ信号はビデオ信号処理部１１２に供給される。
【００４１】
ビデオ信号処理部１１２では、ＨＤＭＩ受信部１０８から出力されるビデオ信号、ビデオスイッチャ１０９から出力されるビデオ信号、チューナ１１１から出力されるビデオ信号のうち、ユーザの選択操作に基づいて画像表示用のビデオ信号が選択される。そして、このビデオ信号処理部１１２では、選択されたビデオ信号に対して、必要に応じてマルチ画面処理、情報表示信号の重畳処理等が行われ、処理後のビデオ信号に基づいて表示パネル１１３が駆動される。そのため、表示パネル１１３には、ユーザの選択操作に基づいて選択された画像表示用のビデオ信号による画像が表示される。また、必要に応じて、この画像に重畳されて情報表示が行われる。
【００４２】
図２は、ＨＤＭＩのソース機器のＨＤＭＩ送信部（ＨＤＭＩソース）と、シンク機器（のＨＤＭＩ受信部（ＨＤＭＩシンク）の構成例を示している。
【００４３】
ＨＤＭＩ送信部は、一の垂直同期信号から次の垂直同期信号までの区間から、水平帰線区間および垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部に一方向に送信するとともに、水平帰線区間または垂直帰線区間において、少なくとも画像データ（ビデオ信号）に付随する音声データ（オーディオ信号）や制御データ、その他の補助データ等に対応する差動信号を、複数のチャネルで、ＨＤＭＩ受信部に一方向に送信する。
【００４４】
すなわち、ＨＤＭＩ送信部は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブルを介して接続されているＨＤＭＩ受信部に、一方向にシリアル伝送する。
【００４５】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブルを介して接続されているＨＤＭＩ受信部に、一方向にシリアル伝送する。
【００４６】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブルを介して接続されているＨＤＭＩ受信部に送信する。ここで、１つのＴＭＤＳチャネル＃ｉ（ｉ＝０，１，２）では、ピクセルクロックの１クロックの間に、１０ビットの画素データが送信される。
【００４７】
ＨＤＭＩ受信部は、アクティブビデオ区間において、複数のチャネルで、ＨＤＭＩ送信部から一方向に送信されてくる、画素データに対応する差動信号を受信するとともに、水平帰線区間または垂直帰線区間において、複数のチャネルで、ＨＤＭＩ送信部から一方向に送信されてくる、音声データや制御データに対応する差動信号を受信する。
【００４８】
すなわち、ＨＤＭＩ受信部は、レシーバ８２を有する。レシーバ８２は、ＴＭＤＳチャネル＃０，＃１，＃２で、ＨＤＭＩケーブルを介して接続されているＨＤＭＩ送信部から一方向に送信されてくる、画素データに対応する差動信号と、音声データや制御データに対応する差動信号を、同じくＨＤＭＩ送信部からＴＭＤＳクロックチャネルで送信されてくるピクセルクロックに同期して受信する。
【００４９】
ＨＤＭＩ送信部とＨＤＭＩ受信部とからなるＨＤＭＩシステムの伝送チャネルには、ＨＤＭＩ送信部からＨＤＭＩ受信部に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【００５０】
ＤＤＣ８３は、ＨＤＭＩケーブルに含まれる図示せぬ２本の信号線からなり、ＨＤＭＩ送信部が、ＨＤＭＩケーブルを介して接続されたＨＤＭＩ受信部から、Ｅ−ＥＤＩＤ（Enhanced Extended Display Identification Data）を読み出すために使用される。
【００５１】
すなわち、ＨＤＭＩ受信部は、ＨＤＭＩレシーバ８２の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部は、ＨＤＭＩケーブルを介して接続されているＨＤＭＩ受信部から、当該ＨＤＭＩ受信部のＥ−ＥＤＩＤを、ＤＤＣ８３を介して読み出し、そのＥ−ＥＤＩＤに基づき、例えば、ＨＤＭＩ受信部を有する電子機器が対応している画像のフォーマット（プロファイル）、例えば、ＲＧＢ、ＹＣbＣr４：４：４、ＹＣbＣr４：２：２等を認識する。
【００５２】
ＣＥＣライン８４は、ＨＤＭＩケーブルに含まれる図示せぬ１本の信号線からなり、ＨＤＭＩ送信部とＨＤＭＩ受信部との間で、制御用のデータの双方向通信を行うのに用いられる。
【００５３】
また、ＨＤＭＩケーブルには、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブルには、ソース機器からシンク機器に電源を供給するために用いられるライン８７が含まれている。さらに、ＨＤＭＩケーブルには、リザーブライン８８が含まれている。
【００５４】
図３は、図２のＨＤＭＩトランスミッタ８１とＨＤＭＩレシーバ８２の構成例を示している。
【００５５】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【００５６】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【００５７】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００５８】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００５９】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００６０】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００６１】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００６２】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００６３】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【００６４】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【００６５】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【００６６】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【００６７】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【００６８】
図４は、ＨＤＭＩの３つのＴＭＤＳチャネル＃０，＃１，＃２で各種の伝送データが伝送される伝送区間（期間）の例を示している。なお、図４は、ＴＭＤＳチャネル＃０，＃１，＃２において、横×縦が７２０×４８０画素のプログレッシブの画像が伝送される場合の、各種の伝送データの区間を示している。
【００６９】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【００７０】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（verticalblanking）、並びに、ビデオフィールド区間から、水平ブランキング期間および垂直ブランキング期間を除いた区間であるアクティブビデオ区間（Active Video）に分けられる。
【００７１】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００７２】
データアイランド区間およびコントロール区間は、水平ブランキング期間および垂直ブランキング期間に割り当てられる。このデータアイランド区間およびコントロール区間では、補助データ（Auxiliary data）が伝送される。
【００７３】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００７４】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００７５】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【００７６】
図５は、ＨＤＭＩコネクタのピン配列を示している。このピン配列は、タイプＡ（type-A）の例である。また、図６は、ＨＤＭＩコネクタにおける各ピンの位置を示している。
【００７７】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００７８】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００７９】
また、上述したようにソース機器がシンク機器の接続を検出するためのライン８６は、ピン番号が１９であるピンに接続される。また、上述したように電源を供給するためのライン８７は、ピン番号が１８であるピンに接続される。
【００８０】
次に、図７（ａ）〜（ｃ）を参照して、ＨＤＭＩコネクタ１０１（１０１ａ〜１０１ｃ）のケーブル検出機構について説明する。図７（ａ）はＨＤＭＩコネクタ１０１の概略的な斜視図、図７（ｂ）はＨＤＭＩコネクタ１０１の概略的な底面図、図７（ｃ）は、ＨＤＭＩコネクタ１０１の概略的な断面図である。
【００８１】
ＨＤＭＩコネクタ１０１の外殻（シェル）１２１は導電性を有する金属部材で形成されている。この外殻（シェル）１２１の底面側に長方形の開口部１２２が形成されている。また、このＨＤＭＩコネクタ１０１の底面側には、上述の開口部１２２の一端側に一端が沿うように配置された、合成樹脂等で形成された長方形状の絶縁板１２３が固定されている。
【００８２】
この絶縁板１２３の端部に、接触片１２４の基端側が固定されている。この接触片１２４は、導電性を有し、かつばね性を有する金属部材で構成されている。この接触片１２４の遊端側は、波状に成型されており、その凸部分が、開口部１２２を通って、外殻１２１の内部（ＨＤＭＩケーブルのプラグが挿入される部分）に突出するようにされている。
【００８３】
図８は、ＨＤＭＩコネクタ１０１に、ＨＤＭＩケーブル１５０を接続するために、当該ＨＤＭＩケーブル１５０の端部に設けられたプラグ１５１が挿入された状態を示している。この場合、プラグ１５１は、ＨＤＭＩコネクタ１０１の外殻(シェル)１２１に接触し、かつ、接触片１２４にも接触した状態となる。
【００８４】
すなわち、ＨＤＭＩコネクタ１０１にＨＤＭＩケーブル１５０が接続されていない状態では、ＨＤＭＩコネクタ１０１の外殻１２１と接触片１２４とは電気的に接続されていない状態にある。しかし、ＨＤＭＩコネクタ１０１にＨＤＭＩケーブル１５０が接続された状態では、ＨＤＭＩコネクタ１０１の外殻１２１と接触片１２４とは、プラグ１５１を介して電気的に接続された状態となる。なお、テレビ受信機１００が備えるＨＤＭＩコネクタ１０１（１０１ａ〜１０１ｃ）の外殻１２１は、接地された状態に置かれる。
【００８５】
そのため、図９（ａ），（ｂ）に示すような、検出回路１６０を用いることで、ＨＤＭＩケーブル１５０の接続の有無を示す検出出力Ｅｄを得ることができる。検出回路１６０は、接触片１２４を例えば３．３Ｖに抵抗Ｒを通じてプルアップした状態とし、抵抗Ｒと接触片１２５との接続点から検出出力Ｅｄを得る構成とされる。
【００８６】
図９（ａ）は、ＨＤＭＩコネクタ１０１にＨＤＭＩケーブル１５０が接続されていない状態を示している。この状態では、ＨＤＭＩコネクタ１０１の外殻１２１と接触片１２４とは電気的に接続されていないので、検出出力Ｅｄは３．３Ｖとなり、ＨＤＭＩケーブル１５０の接続が無いことを示す。
【００８７】
これに対して、図９（ｂ）は、ＨＤＭＩコネクタ１０１にＨＤＭＩケーブル１５０が接続された状態を示している。この状態では、ＨＤＭＩコネクタ１０１の外殻１２１と接触片１２４とはプラグ１５１を介して電気的に接続されるので、検出出力Ｅｄは０Ｖ（接地電位）となり、ＨＤＭＩケーブル１５０の接続が有ることを示す。
【００８８】
なお、図７、図８に示す例では、ケーブル検出機構を構成する接触片１２４がＨＤＭＩコネクタ１０１の外殻（シェル）１２１の底面側に取り付けられたものを示したが、接触片１２４の取り付け位置はこの位置に限定されるものではない。接触片１２４の取り付け位置としては、図１０（ａ）に丸印で取り付け位置を示すようにＨＤＭＩコネクタ１０１の外殻１２１の上面側、図１０（ｂ）に丸印で取り付け位置を示すようにＨＤＭＩコネクタ１０１の外殻１２１の側面側、あるいは図１０（ｃ）に丸印で取り付け位置を示すようにＨＤＭＩケーブル１５０のプラグ１５１の先端が当接する最深部であってもよい。
【００８９】
上述の図７、図８に示すように、接触片１２４を外殻１２１の底面側に取り付けるものにあっては、コネクタの製造上接触片１２４の取り付けが容易である。これに対して、接触片１２４を外殻１２１の上面側に取り付けるもの（図１０（ａ）の丸印位置参照）にあっては、プラグ１５１の対応する面が一様になっている場合が多いため、引っかかりが発生し難い。また、接触片１２４を外殻１２１の側面側に取り付けるもの（図１０（ｂ）の丸印位置参照）にあっては、挿入されたプラグ１５１を両側から挟み込むことができ、接触精度を高めることができる。さらに、接触片１２４をプラグ１５１の先端が当接する最深部に取り付けるもの（図１０（ｃ）の丸印位置参照）にあっては、接触片１２４からの信号線の引き出しが容易となる。
【００９０】
また、ＨＤＭＩコネクタ１０１には、接触片１２４からの信号線の引き出しのために、ケーブル検出端子１６５が設けられる。このケーブル検出端子１６５は、例えば、ＨＤＭＩコネクタ１０１に存在する既存の１〜１９ピン（図５参照）に対応した基板マウント端子と共に設けられる。
【００９１】
すなわち、図１１（ａ）は、ＴＭＤＳチャネル＃２の差動信号であるＴＭＤＳ  Ｄａｔａ２＋とＴＭＤＳ  Ｄａｔａ２−のうちＴＭＤＳ  Ｄａｔａ２＋が伝送される差動線が接続される１ピンに対応した基板マウント端子に隣接して、上述したように接触片１２４からの信号線の引き出しに使用されるケーブル検出端子１６５が設けられた例である。この場合、上述したように、ＨＤＭＩコネクタ１０１にＨＤＭＩケーブル１５０が接続されるとき、接触片１２４が接地電位となり、従ってケーブル検出端子１６５も接地電位となるため、ＴＭＤＳ信号のインピーダンス安定に利用できる。
【００９２】
図１１（ｂ）は、ＨＰＤピンである１９ピンに対応した基板マウント端子に隣接して、上述したように接触片１２４からの信号線の引き出しに使用されるケーブル検出端子１６５が設けられた例である。この場合、上述したように、ＨＤＭＩコネクタ１０１にＨＤＭＩケーブル１５０が接続されるとき、接触片１２４が接地電位となり、従ってケーブル検出端子１６５も接地電位となるが、ケーブル検出端子１６５はＴＭＤＳ信号から離れた位置にあるため、当該ケーブル検出端子１６５によるＴＭＤＳラインへの影響を排除できる。
【００９３】
また、例えば、ケーブル検出端子１６５は、図１２に示すように、ＨＤＭＩコネクタ１０１のマウント時の強度補強用ピンとしても使用できるように、ＨＤＭＩコネクタ１０１の外殻（シェル）１２１から突出するように設けられる。なお、この場合、ケーブル検出端子１６５は、ＨＤＭＩコネクタ１０１の外殻（シェル）１２１から、電気的に浮いた状態で取り付けることが必要となる。
【００９４】
次に、ユーザによる外部入力の選択時において、表示パネル１１３に表示されるコネクタ表示について説明する。制御部１０５は、上述したケーブル接続情報、アクティブ状態の外部機器の接続情報に基づいて、表示パネル１１３に表示されるコネクタ表示の態様を変化させる。
【００９５】
なお、ユーザは、外部入力の選択時におけるコネクタ表示において、ケーブル接続情報、あるいはアクティブ状態の外部機器の接続情報を用いるか否かを、予め設定できる。図１３は、その設定時において表示パネル１１３に表示されるユーザインタフェース画面の一例を示している。
【００９６】
この場合、入力自動検出をオン（ＯＮ）とすることで、ケーブル接続情報を用いることが選択される。入力自動検出がオンに設定された場合、制御部１０５は、パワーオン時、または、外部入力選択時等の所定のタイミングで、上述したようにＨＤＭＩコネクタ１０１ａ〜１０１ｃ、コンポーネントビデオコネクタ１０２ａ〜１０２ｃ、コンポジットビデオコネクタ１０３ａ〜１０３ｃ、およびＰＣコネクタ１０４へのケーブル接続情報を取得してＤＲＡＭ１０５ａに格納し、コネクタ表示の制御情報として使用する。
【００９７】
また、ＨＤＭＩ アクティブ検出をオン（ＯＮ）に設定することで、アクティブ状態の外部機器の接続情報を用いることが選択される。ＨＤＭＩアクティブ検出がオンに設定された場合、制御部１０５は、パワーオン時、または、外部入力選択時等の所定のタイミングで、上述したようにＨＤＭＩコネクタ１０１ａ〜１０１ｃへのアクティブ状態の外部機器の接続情報を取得してＤＲＡＭ１０５ａに格納し、コネクタ表示の制御情報として使用する。
【００９８】
次に、外部入力の選択時におけるコネクタ表示の表示例について説明する。この表示例は、テレビ受信機１００の各コネクタに対し、図１４に示すように、機器が接続されている場合の例である。すなわち、ＨＤＭＩコネクタ１０１ａには、ＢＤ（Blu-ray Disc）レコーダ１７１が接続されている。ＨＤＭＩコネクタ１０１ｂには、ＡＶ（Audio-Visual）アンプ１７２を介してＤＶＤ（Digital VersatileDisc）レコーダ１７３，１７４が接続されている。また、コンポーネントビデオコネクタ１０２ａにはゲーム機１７５が接続されており、コンポジットビデオコネクタ１０３ａにはＶＴＲ（Video Tape Recorder）１７６が接続されている。
【００９９】
まず、入力自動検出がオフ（ＯＦＦ）に設定されていると共に、ＨＤＭＩアクティブ検出がオフ（ＯＦＦ）に設定されている場合、外部入力の選択時に表示パネル１１３に表示されるコネクタ表示は、例えば、図１５（ａ）に示すようになる。この場合、ＨＤＭＩコネクタ１０１ａ〜１０１ｃ、コンポーネントビデオコネクタ１０２ａ〜１０２ｃ、コンポジットビデオコネクタ１０３ａ〜１０３ｃ、およびＰＣコネクタ１０４を表すコネクタ表示は、ケーブルの接続状態の有無に拘わらず、また、ＨＤＭＩコネクタ１０１ａ〜１０１ｃにおけるアクティブ状態の外部機器の接続の有無に拘わらず、全て同じ態様で表示される。
【０１００】
ここで、「ＨＤＭＩ１」〜「ＨＤＭＩ３」のコネクタ表示は、ＨＤＭＩコネクタ１０１ａ〜１０１ｃを表すコネクタ表示である。また、「Component１」〜「Component３」は、コンポーネントビデオコネクタ１０２ａ〜１０２ｃを表すコネクタ表示である。また、「Video１」〜「Video３」は、コンポジットビデオコネクタ１０３ａ〜１０３ｃを表すコネクタ表示である。さらに、「ＰＣ」は、ＰＣコネクタを表すコネクタ表示である。
【０１０１】
この状態において、ユーザは、ユーザ操作部１０６、例えばリモコン操作によって、カーソルＣＡを所望のコネクタ位置に移動して決定することで、所望のコネクタに入力を切り替えることができる。ただしこの場合、各コネクタを表すコネクタ表示は全て同じ態様で表示されるので、ユーザは、表示パネル１１３の画面上では、各コネクタにケーブルが接続されているのか否か、さらにはＨＤＭＩコネクタ１０１ａ〜１０１ｃに関してはアクティブ状態の外部機器が接続されているのか否かを認識できず、無駄な選択操作を行うおそれがある。
【０１０２】
次に、入力自動検出がオン（ＯＮ）に設定されていると共に、ＨＤＭＩアクティブ検出がオフ（ＯＦＦ）に設定されている場合、外部入力の選択時に表示パネル１１３に表示されるコネクタ表示は、例えば、図１５（ｂ）に示すようになる。この場合、ケーブルが接続されているコネクタを表すコネクタ表示（「ＨＤＭＩ１」、「ＨＤＭＩ２」、「Component１」、「Video１」）と、ケーブルが接続されていないコネクタを表すコネクタ表示（「ＨＤＭＩ３」、「Component２」、「Component３」、「Video１」、「Video３」、「ＰＣ」）とは、異なる態様、例えば濃度、色相、形状等が変化するようにされる。例えば、ケーブルが接続されているコネクタを表すコネクタ表示に比べて、ケーブルが接続されていないコネクタを表すコネクタ表示は薄く表示される。
【０１０３】
この状態において、ユーザは、ユーザ操作部１０６、例えばリモコン操作によって、カーソルＣＡを所望のコネクタ表示の位置に移動して決定することで、所望のコネクタに入力を切り替えることができる。この場合、ケーブルの接続の有無でコネクタ表示の態様が異なっているので、ユーザは、表示パネル１１３の画面上で、各コネクタへのケーブルの接続の有無を認識でき、ケーブルが接続されていないコネクタを選択する等の無駄な選択操作を回避できる。
【０１０４】
なおこの場合、制御部１０５の制御により、ユーザによるコネクタ表示の選択操作が、ケーブルが接続されているコネクタを表すコネクタ表示に制限される、ようにしてもよい。この場合、ユーザは、ユーザ操作部１０６、例えばリモコン操作によって、カーソルＣＡを、ケーブルが接続されているコネクタを表すコネクタ表示の位置のみに移動でき、ユーザのカーソルの移動操作から無駄を省くことができ、また、ケーブルが接続されていないコネクタを表すコネクタ表示をユーザが誤って選択するということもなくなる。
【０１０５】
また、この場合、ケーブルが接続されているコネクタ、つまり、ユーザが選択し得るコネクタを表すコネクタ表示を、例えば、図１６（ａ）に示すように、所定範囲にまとめて表示する、ようにしてもよい。図示の例では、上部範囲にまとめたものであるが、他の範囲、例えば下部範囲にまとめて表示するようにしてもよい。このように所定範囲にまとめて表示することで、カーソルＣＡが不規則な間隔で移動することによる見難さを回避でき、操作性を改善できる。
【０１０６】
このように所定範囲にまとめて表示する場合、さらに、選択頻度の高い順に自動的に並べ替えが行われるようにし、あるいは、ユーザが任意に並べ替え可能としてもよい。また、ケーブルが接続されていないコネクタ、つまり、ユーザが選択できないコネクタを表すコネクタ表示を、図１６（ｂ）に示すように、表示パネル１１３に表示しない、ようにしてもよい。この場合、不要なコネクタ表示を表示パネルから除くことができ、選択し得るコネクタを表すコネクタ表示を見易くでき、操作性を改善できる。
【０１０７】
次に、入力自動検出がオン（ＯＮ）に設定されていると共に、ＨＤＭＩアクティブ検出がオン（ＯＮ）に設定されている場合、外部入力の選択時に表示パネル１１３に表示されるコネクタ表示は、例えば、図１７に示すようになる。ただしこの場合、ＨＤＭＩコネクタ１０１ａに接続されているＢＤレコーダ１７１は、パワーオフの状態、つまりアクティブ状態にないものとする。
【０１０８】
この場合、ケーブルが接続されているコネクタ（ＨＤＭＩコネクタに関してはアクティブ状態の機器が接続されているコネクタ）を表すコネクタ表示（「ＨＤＭＩ２」、「Component１」、「Video１」）と、ケーブルが接続されていないコネクタ（ＨＤＭＩコネクタに関してはケーブルが接続されていない、あるいはアクティブ状態の機器が接続されていないコネクタ）を表すコネクタ表示（「ＨＤＭＩ１」、「ＨＤＭＩ３」、「Component２」、「Component３」、「Video１」、「Video３」、「ＰＣ」）とは、異なる態様、例えば濃度、色相、形状等が変化するようにされる。
【０１０９】
なお、ケーブルは接続されているが、アクティブ状態の機器が接続されていないＨＤＭＩコネクタ１０１ａを表すコネクタ表示「ＨＤＭＩ１」に関しては、他のケーブルが接続されていないコネクタを表すコネクタ表示とは、その態様が異なるようにされている。図示の例では、「ＨＤＭＩ１」に関しては、一点鎖線の枠で囲まれ、他のケーブルが接続されていないコネクタを表すコネクタ表示とは区別されている。この区別により、ユーザは、ＨＤＭＩコネクタ１０１ａにはケーブルは接続されているが、接続されている機器がアクティブ状態にないことを認識できる。
【０１１０】
この状態において、ユーザは、ユーザ操作部１０６、例えばリモコン操作によって、カーソルＣＡを所望のコネクタ表示の位置に移動して決定することで、所望のコネクタに入力を切り替えることができる。この場合、ケーブルの接続の有無でコネクタ表示の態様が異なっているので、ユーザは、表示パネル１１３の画面上で、各コネクタへのケーブルの接続の有無を認識でき、さらに、ＨＤＭＩコネクタに関してはアクティブ状態の機器の接続の有無を認識でき、ケーブルが接続されていないコネクタを表すコネクタ表示、ＨＤＭＩコネクタに関してはアクティブ状態にない機器が接続されたコネクタを表すコネクタ表示を選択する等の無駄な選択操作を回避できる。
【０１１１】
なお、テレビ受信機１００の各コネクタに接続される機器がＣＥＣ対応機器である場合、テレビ受信機１００はその機器の存在を認識できる。上述した外部入力の選択時に、その認識情報を活用することも考えられる。例えば、ユーザがユーザ操作部１０６、例えばリモコン操作によって、カーソルＣＡを所望のコネクタ表示の位置に移動し、その状態で接続機器の表示操作を行った場合、制御部１０５は、例えば、図１８に示すように、当該コネクタに接続されている機器を表す機器表示を、当該コネクタを表すコネクタ表示に関連して表示する、ようにしてもよい。
【０１１２】
図１８の表示例では、接続されている機器を表す機器表示をツリー状に表示したものであるが、表示形式はこれに限定されない。このように、コネクタに接続されている機器を表す機器表示を、コネクタ表示に関連して表示することで、ユーザは各コネクタに接続されている機器を表示パネル１１３の画面上で確認でき、外部入力の切り替え操作の操作性を向上できる。
【０１１３】
以上説明したように、図１に示すテレビ受信機１００においては、各コネクタのケーブルの接続の有無の検出結果、さらには、ＨＤＭＩコネクタへのアクティブ状態の機器の接続の有無の判定結果に応じて、外部入力の選択時に、表示パネル１１３に表示される各コネクタを表すコネクタ表示の態様が変化するようにされているので、ユーザは各コネクタへのケーブル接続の有無、ＨＤＭＩコネクタへのアクティブ状態の機器の接続の有無を表示パネル１１３の画面上で容易に確認でき、外部入力の選択操作性を改善できる。
【０１１４】
また、図１に示すテレビ受信機１００においては、ＨＤＭＩコネクタ１０１（１０１ａ〜１０１ｃ）は接触片１２４等で構成されるケーブル検出機構を持っているので、当該ＨＤＭＩコネクタ１０１へのケーブルの接続の有無を良好に検出できる。
【０１１５】
なお、上述実施の形態においては、この発明をテレビ受信機に適用したものを示したが、この発明は、ビデオ信号を伝送するケーブルが接続されるコネクタを有するその他の画像表示装置に適用できる。また、上述実施の形態における各コネクタの個数は一例であって、これに限定されるものではない。また、上述実施の形態におけるＨＤＭＩコネクタの形状は一例であって、これに限定されるものではない。
【産業上の利用可能性】
【０１１６】
この発明は、コネクタへのケーブル接続の有無を画面上で容易に確認可能としたものであり、ＨＤＭＩコネクタ等のビデオ信号を伝送するケーブルが接続されるコネクタを備えるテレビ受信機等の画像表示装置に適用できる。
【図面の簡単な説明】
【０１１７】
【図１】この発明の実施の形態としてのテレビ受信機の構成例を示すブロック図である。
【図２】ソース機器のＨＤＭＩ送信部とシンク機器のＨＤＭＩ受信部の構成例を示すブロック図である。
【図３】ＨＤＭＩトランスミッタとＨＤＭＩレシーバの構成例を示すブロック図である。
【図４】ＴＭＤＳ伝送データの構造を示す図である。
【図５】ＨＤＭＩコネクタのピン配列（タイプＡ）を示す図である。
【図６】ＨＤＭＩコネクタにおける各ピンの位置を示す図である。
【図７】ＨＤＭＩコネクタのケーブル検出機構の構造、動作等を説明するための図である。
【図８】ＨＤＭＩコネクタへのＨＤＭＩケーブルの接続時における、ＨＤＭＩケーブルのプラグとＨＤＭＩコネクタの外殻（シェル）および接触片との接続状態を示す図である。
【図９】ケーブル接続の有無を検出するための検出回路の構成例を説明するための図である。
【図１０】接触片の取り付け位置の他の例を説明するための図である。
【図１１】接触片からの信号線の引き出しのためのケーブル検出端子を説明するための図である。
【図１２】接触片からの信号線の引き出しのためのケーブル検出端子を説明するための図である。
【図１３】ケーブル接続情報、あるいはアクティブ状態の外部機器の接続情報を用いるか否かを設定する設定時のユーザインタフェース画面の一例を示す図である。
【図１４】テレビ受信機の各コネクタへの機器接続の一例を示すブロック図である。
【図１５】外部入力の選択時に表示パネルに表示されるコネクタ表示を説明するための図である。
【図１６】外部入力の選択時に表示パネルに表示されるコネクタ表示を説明するための図である。
【図１７】外部入力の選択時に表示パネルに表示されるコネクタ表示を説明するための図である。
【図１８】外部入力の選択時に表示パネルに表示されるコネクタ表示を説明するための図である。
【符号の説明】
【０１１８】
１００・・・テレビ受信機、１０１，１０１ａ〜１０１ｃ・・・ＨＤＭＩコネクタ、１０２ａ〜１０２ｃ・・・コンポーネントビデオコネクタ、１０３ａ〜１０３ｃ・・・コンポジットビデオコネクタ、１０４・・・ＰＣコネクタ、１０５・・・制御部、１０５ａ・・・ＤＲＡＭ、１０６・・・ユーザ操作部、１０７・・・ＨＤＭＩスイッチャ、１０８・・・ＨＤＭＩ受信部、１０９・・・ビデオスイッチャ、１１０・・・アンテナ端子、１１１・・・チューナ、１１２・・・ビデオ信号処理部、１１２ａ・・・ＯＳＤ回路、１１３・・・表示パネル、１２１・・・外殻（シェル）、１２２・・・開口部、１２３・・・絶縁板、１２４・・・接触片、１５０・・・ＨＤＭＩケーブル、１５１・・・プラグ、１６０・・・検出回路、１６５・・・ケーブル検出端子、１７１・・・ＢＤレコーダ、１７２・・・ＡＶアンプ、１７３，１７４・・・ＤＶＤレコーダ、１７５・・・ゲーム機、１７６・・・ＶＴＲ
【図１】
0004544301.tif 000002
【図２】
0004544301.tif 000003
【図３】
0004544301.tif 000004
【図４】
0004544301.tif 000005
【図５】
0004544301.tif 000006
【図６】
0004544301.tif 000007
【図７】
0004544301.tif 000008
【図８】
0004544301.tif 000009
【図９】
0004544301.tif 000010
【図１０】
0004544301.tif 000011
【図１１】
0004544301.tif 000012
【図１２】
0004544301.tif 000013
【図１３】
0004544301.tif 000014
【図１４】
0004544301.tif 000015
【図１５】
0004544301.tif 000016
【図１６】
0004544301.tif 000017
【図１７】
0004544301.tif 000018
【図１８】
0004544301.tif 000019